【事件の表示】
　特許第３０３１９３８号「インクジェット記録装置および画像処理方法」の請求項１ないし６に係る特許に対する特許異議の申立てについて、次のとおり決定する。
【結　論】
　訂正を認める。
　特許第３０３１９３８号の請求項１ないし３に係る特許を取り消す。
【理　由】
１．手続の経緯
　特許第３０３１９３８号の請求項１乃至６に係る発明は、平成２年２月１９日に出願され、平成１２年２月１０日に設定登録され、その後、異議申立人渡辺等により特許異議の申立がなされ、取消理由通知がなされ、その指定期間内である平成１３年４月９日に訂正請求がなされたものである。
　　　　
２．訂正の適否
（１）訂正の内容
　特許権者の求めている訂正の内容は、以下のとおりである（訂正箇所にアンダーラインを付した。）。
  ア．訂正事項ａ               
　特許請求の範囲の
「【請求項１】複数色のインクを用いて、記録媒体上に多色画像を記録するインクジェット記録装置において、
　記録に用いる記録媒体の種類および記録密度に関する識別情報を発生する識別情報発生手段と、
　該識別情報に応じたマスキング処理を行い、前記記録媒体の種類および前記記録密度に応じてインクの量を制御するマスキング処理手段と、
を有することを特徴とするインクジェット記録装置。
【請求項２】前記インクジェット記録装置は、記録ヘッドの往復走査の往および復走査の各々において記録を行う装置であり、前記マスキング処理が前記往および復走査の記録において異なることを特徴とする請求項１に記載のインクジェット記録装置。
【請求項３】前記識別情報発生手段は、前記記録装置と接続するホストコンピュータ、または該記録装置に設けられたディップスイッチ、または該記録装置の操作パネル、または該記録装置の記録媒体搬送路に設けられた指定紙検知器、または該記録装置の指定紙用紙カセットの装着を検知する指定紙カセット検知器、または該記録装置の指定紙によるロール紙装着器の装着を検知する指定ロール紙検知器のいずれかであり、
　前記識別情報発生手段からの識別情報は、前記ホストコンピュータからの指定紙コマンド情報、または前記ディップスイッチからのディップスイッチ情報、または前記操作パネルからの操作パネル情報、または前記指定紙検知器からの検知情報、または前記指定紙カセット検知器からの検知情報、または前記指定ロール紙検知器からの検知情報のいずれかであることを特徴とする請求項１または２に記載のインクジェット記録装置。
【請求項４】前記識別情報発生手段は、前記記録装置と接続するホストコンピュータであり、
前記識別情報発生手段からの識別情報は、前記ホストコンピュータからの前記記録密度に応じた記録モード情報であることを特徴とする請求項１または２に記載のインクジェット記録装置。
【請求項５】前記識別情報発生手段は、前記記録装置内に設けた光反射型センサであり、前記識別情報は、前記光反射型センサによって検出される記録媒体の光反射レベルであることを特徴とする請求項１または２に記載のインクジェット記録装置。
【請求項６】複数色のインクを用いて記録媒体上に多色画像を記録するインクジェット記録における画像処理方法において、
　記録に用いる記録媒体の種類および記録密度に関する識別情報を入力し、該識別情報に応じた色処理を行い、前記記録媒体の種類および前記記録密度に応じてインクの量を制御することを特徴とする画像処理方法。」を、
「【請求項１】複数色のインクを用いて、記録媒体上に多色画像を記録するインクジェット記録装置において、
　
ホストコンピュータから画像情報とともに入力した、
　
前記入力した画像情報に対して、
前記記録媒体の種類および前記記録密度に応じてインクの量を制御するマスキング処理手段と、
を有し、
前記識別情報は、前記記録に用いる記録媒体の種類が指定紙以外で、かつ前記記録密度が高い場合と、それ以外とに応じて異なる
【請求項２】前記インクジェット記録装置は、記録ヘッドの往復走査の往および復走査の各々において記録を行う装置であり、前記マスキング処理が前記往および復走査の記録において異なることを特徴とする請求項１に記載のインクジェット記録装置。
【請求項３】複数色のインクを用いて記録媒体上に多色画像を記録するインクジェット記録における画像処理方法において、
　
ホストコンピュータから、画像情報ともに、
　
前記入力した画像情報に対して、前記
し、
前記識別情報は、前記記録に用いる記録媒体の種類が指定紙以外で、かつ前記記録密度が高い場合と、それ以外とに応じて異なる
と訂正する。     　
イ．訂正事項ｂ          
　発明の詳細な説明の「そのために本発明では、・・・特徴とする。」（本件特許公報第３頁第５欄第１３〜２５行）を、
　「そのために本発明では、複数色のインクを用いて、記録媒体上に多色画像を記録するインクジェット記録装置において、
ホストコンピュータから画像情報とともに入力した、
前記入力した画像情報に対して、前記
を有し、前記識別情報は、前記記録に用いる記録媒体の種類が指定紙以外で、かつ前記記録密度が高い場合と、それ以外とに応じて異なる
ホストコンピュータから、画像情報ともに、
前記入力した画像情報に対して、
し、前記識別情報は、前記記録に用いる記録媒体の種類が指定紙以外で、かつ前記記録密度が高い場合と、それ以外とに応じて異なる
　　　　
（２）訂正の目的の適否、新規事項の有無及び拡張・変更の存否
　上記訂正事項ａは、請求項１、２および６項を訂正すると共に、請求項３、４および５項を削除するものである。
　上記訂正事項ａについて、ホストコンピュータからの入力に関連する記載として、願書に添付した明細書（以下、特許明細書という。）の発明の詳細な説明には、「制御部は、コンピュータ等のホスト装置１４から指令信号やデータ信号（記録情報）を受信し、」（特許公報第３頁第６欄第４６〜４９行）と記載され、第１図に「記録制御手段ｂ」に入力されるものとして「入力画像情報」が記載されている。
　また、上記訂正事項ａにおける「識別情報発生手段」及び「識別情報」に関連する記載として、特許明細書の発明の詳細な説明には、「識別情報を発生する第２の実施例として、記録装置と接続するホストコンピュータ（ホスト装置）１４を用いる。すなわち、このホストコンピュータからのコマンド情報または記録モード情報を識別情報として処理を行う。」（特許公報第５頁第９欄第２２〜２６行）及び「この記録モードおよび用いる記録媒体の両方に応じた識別情報としてもよく、その場合には、用いる記録媒体が指定紙以外で、かつ記録モードがドット密度が高いモードのときと、それ以外とに応じて識別情報を発生することもできる。」（特許公報第５頁第９欄第４６〜５０行）と記載されている。
　してみると、上記訂正事項ａは、特許明細書に記載された事項の範囲内において、識別情報発生手段、識別情報及びマスキング処理の対象をそれぞれ限定するものといえるから、特許請求の範囲の減縮に該当するものであり、新規事項の追加に該当しない。
　また、上記訂正事項ｂは、上記訂正事項ａに伴い、特許請求の範囲の記載と整合させるために、発明の詳細な説明の記載を訂正するものといえるから、明りょうでない記載の釈明に該当し、新規事項の追加に該当しない。
　そして、上記いずれの訂正も実質上特許請求の範囲を拡張し、又は、変更するものでない。
　　　
（３）むすび
　以上のとおりであるから、上記訂正は、特許法等の一部を改正する法律（平成６年法律第１１６号）附則第６条第１項の規定によりなお従前の例によるとされる、特許法１２０条の４第３項において準用する平成６年法律第１１６号による改正前の第１２６条第１項ただし書、第２項及び第３項の規定に適合するので、当該訂正を認める。
　　　
３．特許異議の申立について
（１）本件発明
　上記２．で示したように上記訂正が認められるから、本件の請求項１乃至３に係る発明（以下、それぞれ本件発明１乃至３という。）は、上記訂正に係る訂正明細書の特許請求の範囲請求項１乃至３に記載されたとおりものである（上記２．（１）ア．訂正事項ａ参照。）。
　　　
（２）引用刊行物に記載された事項
　当審が通知した取消理由に引用した刊行物１（特開平１−２９０４４０号公報＝甲第１号証）、刊行物２（特開昭６３−１２０５６１号公報＝甲第２号証）、刊行物３（特開平２−３３２７号公報＝甲第３号証）および刊行物４（特開昭５８−１９１５７０号公報＝甲第６号証）のそれぞれに記載されている事項は、以下のとおりである。
　ア．刊行物１           
　ａ．「しかしながら、被記録材のインクの吸収性の相違によって、記録されるドット径が変動するので、被記録材の種類によらず安定した記録出力を行う事ができない場合がある。すなわち、被記録材がコート紙のように吸収性がよい場合には適切な記録となるが、普通紙、ＯＨＰ 用紙ではインク滴がにじんだりはじかれたりしてしまい、記録品位が低下してしまう事がある。一方、被記録材が同一でも、記録情報が相違すると、すなわちドット密度の高い画像データあるいは「ベタ」記録では、ドット密度の低いキャラクタ記録の場合に比してにじみが激しく定着性が低下し記録品位向上が図れないことがある。」（第１頁右下欄第１７行〜第２頁左上欄第１２行）、
　ｂ．「Ｈは装置に対して記録データ供給源をなすホストコンピュータであり、被記録材や記録データの種類に応じて用いる記録ヘッドの切替選択を行わせるためのコマンドをも発生する。」（第２頁左下欄末行〜右下欄４行）、      
　ｃ．「第３図は・・・記録ヘッド１ａ〜１ｄの制御系の構成例であり、・・・５は選択回路であり、ホストコンピュータはからのコマンドに応じて、記録データの送出先を・・・切替える。以上の構成において、被記録材Ｐが普通紙の場合、ホストコンピュータＨからのコマンドにより、たとえば記録ヘッド１ｂを選択して記録を行うようにする。また、被記録材ＰがＯＨＰ用紙のように吸収性に劣るものである場合は、吐出量の小さい記録ヘッド１ａを選択して記録を行う。さらに、被記録材Ｐがコート紙のように吸収性の高いものである場合は、吐出量の大きい記録ヘッド１ｃを選択して記録を行うようにする。」（第３頁左上欄第１〜１９行）、
　ｄ．「このような記録ヘッドは、半導体製造工程におけると同様の技術を用いて構成でき、高集積化に有利であるが、インク吐出量は各部寸法等により定まり、一つの記録ヘッドで吐出量を変化させてドット変調を行うのが難しい。そこで、本例では記録ヘッドｌａ〜ｌｄをこの順にインク吐出量が大となるものを構成し、被記録材の種類等に応じていずれかを選択して記録に用いるようにしてある。」（第２頁右下欄第１２〜末行）、
　ｅ．「記録ヘッドの選択は、被記録材のみならず記録データの種類に応じても行うことができる。」（第３頁右上欄末行〜左下欄第２行）。
　以上の記載を含む刊行物１には、
「インクを用いて、被記録材Ｐ上に画像を記録するインクジェット記録装置において、
　ホストコンピュータＨから記録データとともに入力した、記録に用いる被記録材Ｐの種類のみならず記録データの種類、例えば、ドット密度の種類に基づくコマンドに応じて、前記入力した記録データに対して、記録ヘッドの選択を行い、前記被記録材の種類のみならず記録データの種類、例えば、ドット密度の種類に応じて、インク吐出量が異なる複数の記録ヘッドの一つを選択する選択回路５を有し、
　上記被記録材Ｐの種類は、ＯＨＰ用紙、普通紙、コート紙等であり、上記ドット密度の種類は高いか低いかであるインクジェット記録装置。」
が記載されている。
　イ．刊行物２
　ａ．「カラー画像情報を入力する入力手段と、前記カラー画像情報に色補正を行う補正手段と、・・・前記色補正手段よりの画像信号に基づき像形成を行う像形成手段と、該像形成手段の記録材の種類に対応して前記色補正手段の補正パラメータの変更・・・を行う手段を具えることを特徴とするカラー画像記録装置」（特許請求の範囲第１項）
　ｂ．「８は色補正回路で、例えばマスキング回路、ＵＣＲ回路、各色ごとのガンマ補正回路等の公知の色補正を行う回路であり、色補正パラメータ変更信号１５によってマスキング係数、ＵＣＲ係数、ガンマ値等の色補正パラメータを変更できる様に構成されている。９〜１２はＹ，Ｍ，Ｃ信号を色補正した Ｙ′，Ｍ′，Ｃ′，Ｂｋ′信号である。１３は例えばカラーインクジェット法により像形成を行う像形成部、１６は像形成部１３における記録材（印刷媒体）の種類や画像信号の種類等によって、色補正回路８による色補正パラメータの変更指示や鏡像変換指示信号１４を切り替えて出力するモードスイッチである。」（第３頁右上欄１行〜１３行）
　ウ．刊行物３
　ａ．「カラー画像情報を入力する入力手段と、当該入力したカラー画像情報に色補正を行う色補正手段と、該色補正手段よりの画像信号に基づき像形成を行う像形成手段と、該像形成手段において用いる被記録材のにじみ率を検知する検知手段と、当該検知したにじみ率に対応して補正手段の補正パラメータの変更を行う変更手段とを具えたことを特徴とする画像記録装置」（特許請求の範囲）
　ｂ．「色補正回路１８は、例えばＹ，Ｍ，Ｃ３色の入力信号Ｓ１〜Ｓ３に対して出力信号Ｙ′，Ｍ′，Ｃ′が・・・で示されるようなマスキング処理を施して色補正を行うものとすれば、ａ１１〜ａ３３の係数を色補正パラメータ変更信号Ｓ１５に応じて切り替える構成とする事ができる。」（第３頁右下欄２０行〜第４頁左上欄９行）
　エ．刊行物４
　ａ．「複数種類の色調の色材をそれぞれ印刷する複数個の記録ヘッドを配列して配列の方向に往復走行させるカラープリンタにおいて、前記複数種類の色材相互の混食の比率を修正するマスキングテーブルを前記複数個の記録ヘッドの走行の往路と復路とにおいて互いに異ならせて切替え使用するようにしたことを特徴とするカラープリンタ」（特許請求の範囲）
（３）対比・判断
　ア．本件発明１について、
　本件発明１と上記引用刊行物１に記載された発明を対比する。
　ａ．刊行物１に記載された発明の「被記録材Ｐ」、「ホストコンピュータＨ」及び「記録データ」は、それぞれ、本件発明１の「記録媒体」、「ホストコンピュータ」及び「画像情報」に相当している。       
　ｂ．刊行物１に記載された発明の「記録データのドット密度」は、「記録密度」ということができ、また、同じく「被記録材Ｐの種類のみならず記録データの種類、例えば、ドット密度に応じて」とは、「記録媒体の種類および記録密度に応じて」ということができる。
　ｃ．刊行物１に記載された発明の「ホストコンピュータＨから記録データとともに入力した、記録に用いる被記録材Ｐの種類のみならず記録データの種類、例えばドット密度の種類に基づくコマンド」は、本件発明１の「ホストコンピュータから画像情報とともに入力した、記録媒体の種類および記録密度に関する識別情報」に相当する。
　ｄ．刊行物１に記載された発明の「選択回路５」は、ホストコンピュータＨから記録データとともに入力した、記録に用いる被記録材Ｐの種類や記録データの種類、例えば、ドット密度の種類に基づくコマンドに応じて、前記入力した記録データに対して、記録ヘッドの選択を行い、前記被記録材Ｐの種類や記録データの種類、例えば、ドット密度の種類に応じて、インク吐出量が異なる複数の記録ヘッドの一つを選択するもので、インクの量を制御するものといえるから、本件発明１の「入力した画像情報に対して、識別情報に応じたマスキング処理を行い、記録媒体の種類および記録密度に応じてインクの量を制御するマスキング処理手段」とは、「入力した画像情報に対して、記録媒体の種類および記録密度に応じてインクの量を制御する手段」である点で共通し、また、上記「選択回路５」は、上記「コマンド」に応じて上記選択を行うものであるから、該「選択回路５」自体あるいは、それを制御する制御系が上記「コマンド」を発生する手段を有していることは自明なことである。   
　以上のことから、本件発明１と上記引用刊行物に記載された発明とは、
  「インクを用いて、記録媒体上に画像を記録するインクジェット記録装置において、
　ホストコンピュータから画像情報とともに入力した、記録に用いる記録媒体の種類および記録密度に関する識別情報を発生する識別情報発生手段と、
　前記入力した画像情報に対して、前記識別情報に応じたインク量制御を行い、
前記記録媒体の種類および前記記録密度に応じてインクの量を制御する手段と、を有するインクジェット記録装置。」
である点で一致しており、次の点で相違している。
［相違点］
　Ａ．インクジェット記録装置が、本件発明１では、複数色のインクを用いて、多色画像を記録するものであるのに対して、刊行物１に記載された発明では、単色画像を記録するものである点、
　Ｂ．インクの量を制御する手段が、本件発明１では、マスキング処理手段としているのに対して、刊行物１に記載された発明では、インク吐出量が異なる複数の記録ヘッドを切り替え選択を行わせるための選択手段（回路）である点、
　Ｃ．識別情報が、本件発明１では、記録に用いる記録媒体の種類が指定紙以外で、かつ記録密度が高い場合と、それ以外とに応じて異なるとしているのに対して、刊行物１に記載された発明では、被記録材（記録媒体）の種類のみならず記録データのドット密度（記録密度）に応じて異なる点。
［相違点の検討］                       
　相違点Ａ，Ｂについて、
　上記刊行物２，３にみられるように、複数色のインクを用いて、記録媒体上に多色画像を記録するインクジェット記録装置は周知である。
　また、複数色のインクを用いて記録媒体上に画像を記録するインクジェット記録装置は、各色毎の記録に際して、単色画像を記録するインクジェット記録装置と同様に、記録媒体上にインクを付着吸収させるもので、にじみを制御して高品位な出力画像を得るという同様な課題をもっているものであるから、被記録材（記録媒体）の種類のみならず記録データのドット密度（記録密度）に応じて、すなわち、記録媒体の種類および記録密度に応じて、インクの量を制御する上記刊行物１に記載された発明を、上記刊行物２，３に記載された、複数色のインクを用いて、記録媒体上に多色画像を記録するインクジェット記録装置に採用して相違点Ａのように構成することは、当業者が容易に考えつくことである。
　また、一般に、インクジェット記録装置において、インクの量を制御するのに、一つの記録ヘッドのインクを吐出する手段の制御量を変えるようにすることは、引例を挙げるまでもなく、周知である。
　さらに、上記刊行物２，３には、画像情報に対して、記録媒体に対するインクのにじみ等を考慮して、各色のインクの量を制御すること、および、その際に、マスキング処理手段によって、各色一つの記録ヘッドのインクを吐出する手段の制御量を変えることが記載されている。
　してみると、上記刊行物１に記載された単色画像を記録する発明を、刊行物２，３に記載された多色画像を記録する発明に適用するに当たって、各色毎の記録ヘッドをインク吐出量が異なる複数の記録ヘッドから構成するようにせずに（もし、そのように構成すると、色の数に吐出量が異なる数を乗じた数だけたくさんの記録ヘッドを必要となり、また、それに伴い記録ヘッドの切り替え制御等が複雑になることは、明らかである。）、相違点Ｂのように、各色毎の記録ヘッドを一つの記録ヘッドとして、マスキング処理手段により、各色の記録ヘッドのインクを吐出する手段の制御量を変えて、画像情報に対して、各色のインクの量を制御することも、当業者が格別困難性を要さず、想到し得ることである。
　相違点Ｃについて、          
　刊行物１には、上述したように、被記録材（記録媒体）の種類のみならず記録データのドット密度（記録密度）に応じて、すなわち、記録媒体の種類および記録密度に応じて、インクの量を制御することが記載されているから、刊行物１の記載事項ａ．のあるように、にじみによる記録品位の低下を防ぐという課題が与えられていれば、特に、にじみに影響のある記録媒体の種類が指定紙以外であって、かつ記録密度が高い画像情報を印字するときのインク量を、これ以外のときとは異ならせるようにすることは、当業者が容易に想起できることであるから、インク量を制御するときに参照する識別情報を、相違点Ｃのように、「記録媒体の種類が指定紙以外で、かつ記録密度が高い場合と、それ以外とに応じて異」ならせることも、当業者が容易に考えつくことであり、その作用効果も格別顕著でない。
　したがって、本件発明１は、上記引用刊行物１乃至３に記載された発明と周知のことに基づいて、当業者が容易に発明をすることができたものと認められる。
　イ．本件発明２について、
　本件発明２は、本件発明１を引用し、その構成要件を全て備えると共に、さらに、「インクジェット記録装置は、記録ヘッドの往復走査の往および復走査の各々において記録を行う装置であり、前記マスキング処理が前記往および復走査の記録において異なる」という構成要件を備えるものであるから、本件発明２と、上記刊行物１に記載された発明とは、上記相違点Ａ乃至Ｃに加えて、本件発明２が上記構成要件をさらに備えた点（相違点Ｄという。）で相違している。
　これについて検討するに、相違点Ａ乃至Ｃについては、上述のとおりである。
　相違点Ｄについて、さらに検討するに、上記刊行物４には、上述したように、複数色のインクを用いて記録媒体上に多色画像を記録するインクジェット記録装置において、記録ヘッドの往復走査の往および復走査の各々において記録を行い、マスキング処理が前記往および復走査の記録において異なるようにすることが記載されているから、上記刊行物１に記載された発明を上記刊行物２，３に記載された発明に適用するに際して、同一技術分野の上記刊行物４に記載された発明を単に組み合わせて、本件発明２を構成することも当業者が容易に想到し得、その作用効果も単なる組み合わせを越えるものがなく、格別顕著でない。
　ウ．本件発明３について、
　本件発明３は、本件発明１を、単に方法の発明としたものであるから、本件発明１と同様に、上記刊行物１乃至３に記載された発明と周知のことから、当業者が容易に発明をすることができたものと認められる。
　　　
（４）むすび
　以上のとおりであるから、本件請求項１乃至３に係る発明は、特許法第２９条第２項の規定により特許を受けることができない。
　したがって、本件請求項１乃至３に係る発明についての特許は拒絶の査定をしなければならない特許出願に対してされたものと認める。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１３年６月２９日（２００１．６．２９）
【訂正の要旨】
　訂正の要旨内容
　１．訂正事項ａ
　特許請求の範囲の減縮を目的として、特許請求の範囲を、
「【請求項１】複数色のインクを用いて、記録媒体上に多色画像を記録するインクジェット記録装置において、
　
ホストコンピュータから画像情報とともに入力した、
　
前記入力した画像情報に対して、
前記記録媒体の種類および前記記録密度に応じてインクの量を制御するマスキング処理手段と、
を有し、
　
前記識別情報は、前記記録に用いる記録媒体の種類が指定紙以外で、かつ前記記録密度が高い場合と、それ以外とに応じて異なる
　【請求項２】前記インクジェット記録装置は、記録ヘッドの往復走査の往および復走査の各々において記録を行う装置であり、前記マスキング処理が前記往および復走査の記録において異なることを特徴とする請求項１に記載のインクジェット記録装置。
　【請求項３】複数色のインクを用いて記録媒体上に多色画像を記録するインクジェット記録における画像処理方法において、
　
ホストコンピュータから、画像情報ともに、
　
前記入力した画像情報に対して、前記
し、
　
前記識別情報は、前記記録に用いる記録媒体の種類が指定紙以外で、かつ前記記録密度が高い場合と、それ以外とに応じて異なる
と訂正する。
　２．訂正事項ｂ
　特許明細書の不明瞭な記載の釈明を目的として、発明の詳細な説明の「そのために本発明では、・・・特徴とする。」（本件特許公報第３頁第５欄第１３〜２５行）を、
　「そのために本発明では、複数色のインクを用いて、記録媒体上に多色画像を記録するインクジェット記録装置において、
ホストコンピュータから画像情報とともに入力した、
前記入力した画像情報に対して、前記
を有し、前記識別情報は、前記記録に用いる記録媒体の種類が指定紙以外で、かつ前記記録密度が高い場合と、それ以外とに応じて異なる
ホストコンピュータから、画像情報ともに、
前記入力した画像情報に対して、
し、前記識別情報は、前記記録に用いる記録媒体の種類が指定紙以外で、かつ前記記録密度が高い場合と、それ以外とに応じて異なる
と訂正する。
（５４）【発明の名称】
インクジェット記録装置および画像処理方法
（５７）【特許請求の範囲】
１）複数色のインクを用いて、記録媒体上に多色画像を記録するインクジェット記録装置において、
　
ホストコンピュータから画像情報とともに入力した、
　
前記入力した画像情報に対して、前記
を有し、
　
前記識別情報は、前記記録に用いる記録媒体の種類が指定紙以外で、かつ前記記録密度が高い場合と、それ以外とに応じて異なる
２）前記インクジェット記録装置は、記録ヘッドの往復走査の往および復走査の各々において記録を行う装置であり、前記マスキング処理が前記往および復走査の記録において異なることを特徴とする請求項１に記載のインクジェット記録装置。
３
　
ホストコンピュータから、画像情報ともに、
　
前記入力した画像情報に対して、前記
し、
　
前記識別情報は、前記記録に用いる記録媒体の種類が指定紙以外で、かつ前記記録密度が高い場合と、それ以外とに応じて異なる
【発明の詳細な説明】
［産業上の利用分野］
　本発明はマスキング処理を行うインクジェット記録装置および画像処理方法に関するものである。
［従来の技術］
　第１４図は多色を表現するための減色混合法を示し、第１５図は減色混合法を用いたカラーインクジェット記録装置の動作態様を示す。
　第１４図に示すように、イエロー（以下、Ｙと略記する），マゼンタ（以下、Ｍと略記する），およびシアン（以下、Ｃと略記する）の３原色はそれぞれレッド（以下、Ｒと略記する），グリーン（以下、Ｇと略記する），およびブルー（以下、Ｂと略記する）と補色関係にある。そのため、第１４図に示すように、カラーインクジェット記録装置では、一般にＲはＹとＭとを重ね合わせて形成し、ＧはＹとＣとを重ね合わせて形成し、ＢはＣとＭとを重ね合わせて形成している。また、Ｙ，Ｍ，Ｃの３色を重ね合わせるとブラック（以下、Ｂｋと略記する）となるので、原理的にはこの３原色で十分であるが、３色混合によるＢｋは濁った感じになる。このため、Ｂｋのインクを別に有するのが一般的である。
　ところで、カラーインクジェット記録装置以外の、例えば転写型カラーサーマルプリンタを例にとると、Ｂｋを形成するためにＹ，Ｍ，Ｃの３色を重ねる場合、重ね合わせ順序によって反射特性が異なる。この順序のうち、Ｙ，Ｍ，Ｃの順序で重ねると、Ｙ，Ｍ，Ｃの順に波長全域にわたり相対的に反射率が低くなり、より黒っぽくなる。このため、転写型カラーサーマルプリンタの場合にはＹ，Ｍ，Ｃの順序で色を重ね合わせる方法が一般に採用されている。この場合において、本願発明者の実験によると、Ｙ，Ｍ，Ｃの順序で重ね合せた黒は青みがかった黒となり、Ｃ，Ｍ，Ｙの順序で重ね合わせた黒は黄色みがかった黒になることが確認されている。これは記録用紙上にインクリボンからの固形のインクを転写するので、最後に転写するそれぞれＣとＹの反射特性に依存しているものと思われる。
　しかるに、カラーインクジェット記録装置においては、Ｙ，Ｍ，Ｃの順序で重ね合せた黒は黄色みがかった黒となり、Ｃ，Ｍ，Ｙの順序での重ね合せた黒は青みがかった黒になる。これは上述の転写型カラーサーマルプリンタとは逆の現象になっている。この原因は、カラーインクジェット記録装置においては、記録用紙にインク液滴を吸収させて画像を形成しているので、記録用紙のインク吸収能力の変化によって記録用紙上のドット径が変わることによる。すなわち、２色以上の混色記録の場合には、最初に紙の吐出されたインク液滴の方が、後から重ね合せたインク液滴よりも用紙上での広がりが大きくなり、ドット径が大きくなるためである。そのため、カラーインク　ジェット記録装置では色の重ね合せによって得られる黒は、用紙に最初に吐出するＹとＣのドット径の大きさに依存することとなる。
［発明が解決しようとする課題］
　また、近年ではより高速な記録が切望されているため、パーソナルコンピュータ等に接続されているシリアルモノクロームプリンタ等においては記録ヘッドの往および復移動のそれぞれにおいてインクを吐出して記録を行なう往復記録が一般的となっている。
　しかしながら、カラーインクジェット記録装置においては、往復記録を第１５図に示す動作態様で行った場合、図中矢印ＰＴ方向Ｂの色を記録するには、Ｃの色の上にＭの色が重ね合わされるので、より青っぽい青が形成される。また、図中矢印ＣＲ方向の復移動時に、Ｂの色を記録するには、Ｍの色の上にＣの色が重ね合わされるので、より赤っぽい青が形成される。そのため、往復時の色合いが著しく違ってしまうという不都合があった。この点はＧ，Ｒの混合色の形成の場合も同様である。
　また、カラーインクジェット記録装置においては、記録用紙にインクを吸収させて図形，文字，記号等の画像情報を形成するが、記録紙のインク吸収容量にも限界がある。このため、カラーインクジェット記録装置のように色を重ね合せて図形，文字，記号等の画像情報を形成する場合、１色のインクで記録した時と、２色インクで重ね合せて記録した時とでは記録紙上でのインク量が違ってしまう。そのため、用いる記録紙によっては用紙のインク吸収限界容量を越えて、インクがにじんでしまう場合があり、画質品位を著しく損ねてしまうという問題があった。この問題は一般に記録媒体として指定された用紙を用いない場合に生じることが多い。
　また、このインクにじみの問題は記録密度が高い場合にも生じる問題である。
　さらに、記録媒体の地の白色度、つまり白さもカラーインクジェット記録装置の場合には、出力する記録品位に大きな影響を及ぼす。すなわち、記録媒体の地の白色度の高いものと小さいものによって画像が、全体として明るくなったり暗くなったりしてしまう。
　このような画像の明るさの変化は、一般に記録媒体として所定の指定紙のみを用いずに様々な種類の記録媒体を用いることによって生ずる問題である。
　本発明は、記録に用いるインクの量を、記録媒体の種類および記録密度に応じたマスキング処理を行うことによって、適切に制御し、これにより、記録媒体上におけるインクのにじみを抑制して高品位の出力画像が得られるようにすることを目的とする。
［課題を解決するための手段］
　そのために本発明では、複数色のインクを用いて、記録媒体上に多色画像を記録するインクジェット記録装置において、
ホストコンピュータから画像情報とともに入力した、
前記入力した画像情報に対して、前記
を有し、前記識別情報は、前記記録に用いる記録媒体の種類が指定紙以外で、かつ前記記録密度が高い場合と、それ以外とに応じて異なる
　また、複数色のインクを用いて記録媒体上に多色画像を記録するインクジェット記録における画像処理方法において、
ホストコンピュータから、画像情報ともに、
前記入力した画像情報に対して、前記
し、前記識別情報は、前記記録に用いる記録媒体の種類が指定紙以外で、かつ前記記録密度が高い場合と、それ以外とに応じて異なる
　以上の構成によれば、記録に用いる記録媒体の種類および記録密度に関する識別情報に応じた処理を行ない、上記記録媒体の種類および上記記録密度に応じてインクの量を制御するので、記録媒体がインクの吸収性に劣り、かつ、記録密度が高い程、記録に際して付与するインクの量が少なくなるよう、かつ記録媒体上に生じ得るインクのにじみの程度に応じて精度良くインク量を制御できる。
［実施例］
　以下、図面を参照して本発明の実施例を詳細に説明する。
　第１図は、本発明の実施例に関するインクジェット記録装置の要部構成を示すブロック図である。本図において、ａは情報発生手段であり、記録に用いられる記録媒体あるいは記録密度に応じた識別情報を発生し、その具体的構成は後述される。ｂは第４図にて後述されるＣＰＵ等からなる記録制御手段であり、色変換等の画像情報処理，装置各部の動作制御等の外、本発明にかかり、情報発生手段ａから供給される識別情報に応じてマスク量を設定しこれによりマスキング処理を行なう。このようなマスキング処理によって、記録にかかるインク量が記録画像全体において調和的に制御され、例えば比較的インク吸収能力の低い記録媒体を用いるときは、全体的にインク量を少なくしてインクにじみを防止したり、また、地の白色度が強い記録媒体を用いるときはインク量を多くして画像全体の明るさ（濃度）を低めに（大きく）することができる。
　記録制御手段ｂから出力したドット情報はそれぞれ対応する複数の記録ヘッドｃにそれぞれ供給され、これによりヘッドｃの各々から吐出する複数色Ｙ，Ｍ，Ｃ，Ｂｋの吐出インク液滴により減色混合法で記録媒体上に多色画像を形成する。
　第２図は、本発明の好適な一実施例として、電気熱変換体が発生する熱エネルギーを吐出エネルギーとして利用してインクを吐出する方式のカラーインクジェット記録装置の構成の一例を示す概略斜視図である。
　第２図において、用紙またはプラスチックシートなどの記録媒体１は、記録領域の上下に配置された一対のローラから成る搬送ローラ２，３によって支持され、シート送りモータ４で駆動される搬送ローラ２によって矢印Ａ方向へ搬送される。搬送ローラ２，３の前方にはこれと平行にガイドシャフト５が設けられている。このガイドシャフトに沿ってキャリッジ６がキャリッジモータ７の出力によりワイヤ８を介して矢印Ｂ方向に往復駆動される。
　キャリッジ６には、上述した方式のインクジェットヘッドである記録ヘッドユニット９０が搭載されている。この記録ヘッドユニット９０は、カラー画像記録用であり、走査方向に配列され、シアン（Ｃ），マゼンタ（Ｍ），イエロー（Ｙ），ブラック（Ｂｋ）の各色のインクに対応させて設けた４個の記録ヘッド９、すなわち９Ａ，９Ｂ，９Ｃ，９Ｄから成っている。各記録ヘッド９の前面、すなわち記録媒体１と所定間隔（例えば０．８ｍｍ）をおいて対向する面には複数（例えば３２個または１２８個）のインク吐出口を縦１列に配置した記録部が設けられている。
　第３図は、上述の記録ヘッド９（記録ヘッド９Ａ〜９Ｄのいずれでも同じ）のインク吐出部の部分縦断面を模式的に示す。
　第３図において、記録ヘッド９の記録媒体１に対向する面には、縦方向に所定ピッチで複数のインク吐出口１０が形成される。各インク吐出口１０に連通するインク液路内に設けられた電気熱変換体１１をドット情報に基いて駆動（通電加熱）してインク内に気泡１１Ａを発生させ、このときの気泡の変化に伴なう圧力変動により、飛翔インク液滴１２を形成し、記録媒体１に所定パターンでインクドットを付着させながら記録を行なう。
　各記録ヘッド９には、上述のような駆動を行うための駆動回路（ドライバ）２９（第２図参照）の回路基板が装着されている。
　再び第２図を参照するに、記録装置の制御回路（ＣＰＵ）やこれに併設されたＲＯＭ，ＲＡＭ等を含む制御部は制御基板１５上に形成されており、この制御部は、コンピュータ等のホスト装置１４から指令信号やデータ信号（記録情報）を受信し、これに基いて各種モータ等の駆動源などとともに第３図に示したヒートドライバ１３を介して各記録ヘッド９Ａ〜９Ｄに電気熱変換体の駆動電圧（ヒート電圧）を印加する。
　記録装置の外装ケース（図示せず）に取付けられる操作パネル１６０には、オンライン／オフライン切換えキー１６Ａ，ラインフィードキー１６Ｂ，フォームフィードキー１６Ｃ，記録モード切換えキー１６Ｄ等のキー設定部の他、いくつかのアラームランプ１６Ｅや電源ランプ１６Ｆ等の警告ランプを含む表示部が設けられている。
　第４図は、第１図および第２図に示したインクジェット記録装置の制御系、特に第１図に示した記録制御手段の回路構成例を示す。
　第４図において、マイクロプロセッサ形態のＣＰＵ２１は、インターフェイス２２を介してコンピュータ等のホスト装置１４に接続されており、ホスト装置１４からデータメモリ２３に読み込まれた指令信号（コマンド）や記録情報信号、ならびにＲＯＭ形態のプログラムメモリ２４やＲＡＭ形態のワーキングメモリ２５等に格納されたプログラムやデータに基いて記録動作を制御する。
　ＣＰＵ２１は、出力ポート２６およびモータードライバ２７を介してキャリッジモータ７（第２図参照）やシート送りモータ４（第２図参照）を制御するとともに、データメモリ２３に格納されている記録情報に基きヘッド駆動回路２９を介して記録ヘッド９を駆動する。
　第２図および第４図中の参照符号３０は、シートセンサであり、搬送ローラ２と３（第２図）との間に記録媒体１が存在するか否かの検出と、本発明の一実施例にかかる紙種及び紙の白色度の検出を行ない、Ａ／Ｄコンバータ３１を介してＣＰＵ２１に検出信号が伝達される。
　前述した操作パネル１６０上の各操作キー１６Ａ〜１６Ｄ（第２図参照）からの出力は、入力ポート３２を介してＣＰＵ２１に伝達され、また、アラームランプ１６Ｅや電源ランプ１６Ｆ等の警告ランプに対しては、出力ポート３６を介して制御信号が供給される。
　第４図中の符号３３は、装置の外装の底面部分などに設けられたＤＩＰ（ディプ）スイッチであり、その出力は入力ポート３４を介してＣＰＵ２１に伝達される。
　また、第４図において、電源回路２８からは、制御ロジック回路を動作させるためのロジック駆動電圧ＶＣＣ（５Ｖ），各種モータ駆動電圧ＶＭ（３０Ｖ），リセット電圧ＲＥＳＥＴ，各記録ヘッド９の電気熱変換体１１を加熱するためのヒート電圧（ヘッド電圧）ＶＨ（２５Ｖ），および記録ヘッド９の保護用のバックアップ電圧ＶＤＤＨが出力される。
　そして、ヒート電圧ＶＨは記録ヘッド９に、バックアップ電圧ＶＤＤＨはヘッド駆動回路２９および記録ヘッド９に、それぞれ印加される。
　また、第４図において、グラフィックプロセッサ（ＧＰ）５０は、本発明の一実施例にかかるマスキング処理手段を具備しており、情報発生手段ｂからの識別情報に応じてデータメモリ２３から設定入力されるマスク量によってマスキング処理を行ないデータメモリ２３のバッファにＹ，Ｍ，Ｃの色濃度データとして格納する。
　次に第５図を参照しながら本発明の実施例に係る色補正のためのマスキング処理について説明する。
　第５図は第４図に示したグラフィックプロセッサ５０により色補正のためのマスキング演算を示す概念図である。ここでＹ，Ｍ，Ｃは第９図および第１０図に関して後述される色変換によって得られる濃度データであり、それぞれ２５６段階の階調を有する。ａ０〜ａ８は、マスク量であり、これらマスク量は上述したように識別情報に応じて設定される。またＹ´，Ｍ´，Ｃ´はそれぞれ補正後の色濃度データであり、同図に示されるように、Ｙ，Ｍ，Ｃとマスク量ａ０〜ａ８とのマトリクス演算により計算される。なお本実施例では１次マスキングの例を示したが、より高次のマスキングを行なうことも可能である。
　又、他の実施例としてＲＡＭあるいはＲＯＭによって構成されるルックアップテーブルを具備し、あらかじめマスキング演算された色補正後のＹ´，Ｍ´，Ｃ´，各色の濃度値を識別情報に対応させて格納しておく事もできる。
　第６図のフローチャートは、本発明実施例の入力画像情報（記録データ）受信時におけるＣＰＵ２１の処理手順の一例を示す。なお、この処理手順は第４図のプログラムメモリ２４にあらかじめ格納されている。
　本例の処理は識別情報が示す記録媒体情報に応じてマスク量を設定する場合の処理を示すものである。
　本例では、記録媒体１が指定紙か指定紙以外かを示す識別情報を発生する情報発生手段の第１実施例として、ＤＩＰＳＷ（スイッチ）３３，またはパネルＳＷ１６，または指定紙通路に設けた検出ＳＷ（図示せず），または指定紙用紙カセット挿入有無ＳＷ（図示せず），または指定紙用ロール紙装着ＳＷ（図示せず）等を用い、これらのスイッチからの識別情報に応じてマスキング処理を行う場合である。この指定紙か指定紙以外かの識別情報は、例えば検出用がＳＷのＯＮ時に指定紙とする。
　ＣＰＵ２１はまず、電源投入時の制御部イニシャライズ（ステップＳ１００）の後に、例えばＤＩＰスイッチ３３を識別情報検出手段に用いる場合は入力ポート３４を介してスイッチの状態を示す識別情報を検出する（ステップＳ１０１）。次にＣＰＵ２１は本記録装置と接続されたホスト装置１４からの制御コマンド、および記録データの入力をインターフェイス２２を介して監視しつつ待機する（ステップＳ１０２）。
　ここで、本例では、ホスト装置１４とのカラービットイメージの設定を以下の仕様で実行するものとする。
　　　ＥＳＣ　ｒ，　ＤＡＴＥ　ＬＥＮＧＴＨ，ＩＭＡＧＥ　ＤＡＴＡ
　ここに、ＥＳＣ　ｒは、カラービットイメージの設定コマンドであることを示すものとする。
　また、ＤＡＴＥ　ＬＥＮＧＴＨ（データレングス）は、２バイトのパラメータで、本コマンドにおけるイメージデータの総バイト数を示すものとする。
　そして、ＩＭＡＧＥ　ＤＡＴＡ（イメージデータ）の最初の“ｎ”バイトはレッド（Ｒ）であり、その次の“ｎ”バイトはグリーン（Ｇ）であり、その次の最後の“ｎ”バイトはブルー（Ｂ）であるとする。
　ステップＳ１０２において、本例に係る記録装置と接続されたホスト装置１４から記録データが入力されると、ステップＳ１０３において、ＣＰＵ２１はデータメモリ２３に設けた受信用ＲＧＢバッファに格納する。そして、ＣＰＵ２１は、ホスト装置１４から規定量（受信バッファの容量または１走査）分の記録データの受信終了を判別（ステップＳ１０４）するまで、ステップＳ１０２〜Ｓ１０４の手順を繰り返す。
　ＣＰＵ２１は、ステップＳ１０４において受信終了を判別すると、ステップＳ１０５においてデータメモリ２３に設けた記録用ＹＭＣＢｋのバッファに、受信した入力データを第９図に示されるような関係の色変換処理および識別情報に応じたマスク量によるマスキング処理を施して格納する。色変換においては、例えば、画素の赤を表わすデータは、Ｒが“１”で、ＢおよびＧが“０”として入力され、第９図に示す関係の色変換を行なった後、ＹおよびＭが“１”でＣおよびＢｋが“０”のデータとして出力される。なお、第１０図は第９図の色変換を施す論理回路である。
　第１１図はＣＰＵ２１の記録データ受信時における処理手順の他の例を示す。本例では、識別情報を発生する情報発生手段の第２実施例として、記録装置と接続するホストコンピュータ（ホスト装置）１４を用いる。すなわち、このホストコンピュータからのコマンド情報または記録モード情報を識別情報として処理を行う。
　ＣＰＵ２１はまず電源ＯＮ後、制御部イニシャライズを実行する（ステップＳ２００）。次いで、ＣＰＵ２１は本記録装置と接続するホスト装置１４からの制御コマンド、および記録データの入力をインターフェイス２２を介して監視しつつ待機する（ステップＳ２０２）。ここで識別情報として指定紙コマンドを用いる場合は、ホスト装置１４による指定紙コマンドの設定を以下の仕様で実行するものとする。すなわち、
　　ＥＳＣ　０の受信時は指定紙
　　ＥＳＣ　１の受信時は指定紙以外
　また、上記実施例では、記録に用いられる記録媒体に応じて識別情報を設定したが、画像情報の記録密度に応じて識別情報を設定してもよい。すなわち、情報発生手段、すなわち本例の場合ホストコンピュータ１４は、記録モードコマンドにより、実行される記録がドット密度が少ない場合、例えばキャラクタを記録する場合と、上記指定紙モードコマンドにて特に指定することをしない場合およびドット密度が高い場合、例えばビットイメージ記録時とに応じて識別情報を発生するようにする。
　なお、この記録モードおよび用いる記録媒体の両方に応じた識別情報としてもよく、その場合には、用いる記録媒体が指定紙以外で、かつ記録モードがドット密度が高いモードのときと、それ以外とに応じて識別情報を発生することもできる。
　ステップＳ２０２において、本記録装置と接続するホスト装置１４から記録データが入力されると、ステップＳ２０３においてＣＰＵ２１はデータメモリ２３に設けた受信用ＲＧＢバッファに格納する。
　そして、ＣＰＵ２１はホスト装置１４から規定量（受信バッファの容量または１走査）分の記録データの受信終了を判別（ステップＳ２０４）するまでステップＳ２０２〜Ｓ２０４の手順を繰り返す。
　その後、ＣＰＵ２１はステップＳ２０４において受信終了を判別すると、ステップＳ２０５においてデータメモリ２３に設けた記録用ＹＭＣＢｋバッファに、受信したＲＧＢ入力データを前述と同様に第９図に示す関係の色変換および上述と同様の識別情報に応じたマスキング処理を施して格納する。
　以上のように、受信用ＲＧＢバッファから記録用ＹＭＣＢｋバッファに記録データを格納した後、ＣＰＵ２１は記録制御を開始する。
　第７図は、記録媒体に応じた識別情報を発生する情報発生手段の実施例として、第２図および第４図に示したように、本記録装置内に設けた記録紙検出用光反射型センサを用い、このセンサが指定紙，指定紙以外またはＯＨＰ用紙のそれぞれに対応して発生する光反射レベル情報を識別情報として処理を行なう場合の処理手順を示す。
　また、第８図（Ａ）および（Ｂ）は、それぞれのセンサ３０の詳細を示す回路図および記録紙の種類に応じた光センサ３０の光反射レベルを示す説明図である。
　ＣＰＵ２１は、まずセンサ３０が記録紙１を検出できる位置までキャリッジモータ７を駆動させる事によりキャリッジ６を移動させる（ステップＳ３０１）。次に、ＣＰＵ２１は、記録紙の反射レベルを検出すべく、第４図および第８図（Ａ）に示したＡ／Ｄコンバータ３１にて反射レベルのＡ／Ｄ変換を開始しサンプリングを行なう（ステップＳ３０２）。Ａ／Ｄサンプリングを終了すると（ステップＳ３０３）、ＣＰＵ２１は、Ａ／Ｄコンバータ３１にて検出された値を、順次紙なし，ＯＨＰ用紙，指定紙の所定の反射レベルと比較することによって記録に用いられる記録紙が何であるかを判別し、この判別結果を上記識別情報として、それぞれ紙なし処理，ＯＨＰ用紙用のマスク量の設定，指定紙用マスク量の設定，及び指定紙外用のマスク量の設定を実行する（ステップＳ３０４〜Ｓ３０９）。
　なお、光センサ３０の反射レベルは、同一種類の記録媒体においても、反射レベル（白色度）に応じて異なるように細かく設定することもできる。
　以上のように、受信用ＲＧＢバッファから記録用ＹＭＣＢｋバッファに色変換処理および識別情報に応じたマスキング処理を施した記録データを格納した後、ＣＰＵ２１は記録を開始する。
　第１２図に示すフローチャートは、記録処理手順の一例を示す。まず、データメモリ２３に設けたＲＧＢバッファからＹＭＣＢｋバッファに色変換処理および最適なマスキング処理を終了させた記録データを展開した後、ＣＰＵ２１は往方向（第２図のＰＴ方向）の記録を開始する（Ｓ４００）。次のステップＳ４０１において、ＣＰＵ２１はキャリッジ６をＰＴ方向に移動するために出力ポート２６を介してドライバ２７によってキャリッジモータ７を正転駆動する。
　次に、ステップＳ４０２において、上記記録データに基づき駆動回路２９にヘッド９の駆動データをセットする。当該セットの後、ステップＳ４０３において、ヘッド９の電気熱変換体に駆動データに基づいて規定のパルスを印加する。このときの印加パルス幅は、ハードウェアもしくはソフトウェアによる時間ｔ１によって規定する。この時間ｔ１のタイムアップ後、ヘッド９の通電を停止する（ステップＳ４０４，Ｓ４０５）。これと共に、ステップＳ４０５においては、１回の通電毎にワーキングメモリ２５に設けてある記録サイクルカウンタを１歩進する。
　その記録サイクルカウンタを参照し、ステップＳ４０６にて記録完了か否かを判別する。ステップＳ４０６において、記録サイクルカウンタが１回の走査における規定サイクル数をこえていない場合には、ステップＳ４０１に復帰してステップＳ４０１〜Ｓ４０６の動作を繰り返す。ステップＳ４０６において記録サイクルカウンタが規定数をこえたと判定された場合には、ステップＳ４０７で紙送りを実行し、ステップＳ４０８においてキャリッジリターンを実行することにより、１ラインの記録を完了する。
　第１３図は記録処理手順の他の実施例を示すフローチャートであり、第２図示の装置によりヘッドユニット９０を往復走査して記録処理を行う処理手順の一例を示す。
　本実施例では、記録データ受信時に行なっていた本発明にかかるマスキング処理を記録処理の過程で行ない、しかもヘッドユニットの往および復走査の記録に際してマスキング処理のマスク量を上記識別情報に関連させて異ならせるものである。
　まずデータメモリ２３に設けた受信バッファから記録バッファに適宜の変換（ＲＧＢ→ＹＭＣＢｋ）変換等を施してデータを展開した後、ＣＰＵ２１は往方向（第２図示のＰＴ方向）の記録を開始する（ステップＳ５００）。次に、ステップＳ５００´においてＣＰＵ２１はグラフィックプロセッサ（ＧＰ）５０に上記識別情報に応じて定められるマスク量により上記展開されたデータに往方向記録時の最適マスキング処理を指示する。ＣＰＵ２１はこのマスキング処理終了後、次のステップＳ５０１において、キャリッジ６をＰＴ方向に移動するために出力ポート２６からドライバ２７を介してキャリッジモータ７を正転駆動する。
　次に、ステップＳ５０２において、駆動回路２９に記録データをセットする。当該セットの後、ステップＳ５０３においてヘッド９に規定のパルスを印加する。このときのパルス幅は、ハードウェアもしくはソフトウェアによるタイマｔ１により規定する。このタイマのタイムアップ後、ヘッド９の通電を停止する（ステップＳ５０４，Ｓ５０５）。
　これと共に、ステップＳ５０５においては、１回の通電毎にワーキングメモリ２５に設けてある記録サイクルカウンタを＋１歩進する。
　その記録サイクルカウンタによりステップＳ５０６にて記録完了か否かを判別する。ステップＳ５０６において、記録サイクルカウンタが１回の走査における規定記録ドット数をこえていない場合には、ステップＳ５０１に復帰してステップＳ５０１〜Ｓ５０６の動作を繰り返す。
　ステップＳ５０６において記録サイクルカウンタが規定記録ドット数をこえたと判定された場合には、ステップＳ５０６で紙送りを実行し、ステップＳ５０７に進み、記録サイクルカウンタをクリアする。
　次いでＣＰＵ２１は、復記録（第２図のＣＲ方向の記録）を開始する。また、ＣＰＵ２１はステップＳ５０７´においてグラフィックプロセッサ５０に上記識別情報および往方向記録時のマスク量に関連させて定められるマスク量による前記ＹＭＣＢｋデータに対する復方向記録時の最適マスキング処理を指示する。この後、ステップＳ５０８において、ＣＰＵ２１は、出力ポート２６からドライバ２７を介してキャリッジ６をＣＲ方向に移動するためにキャリッジモータ７を逆転駆動する。次に、ステップＳ５０９において駆動回路２９にマスキングを施した記録データ（ＹＭＣＢｋバッファに展開したデータ）を最後尾からセットする。当該セット後、ステップＳ５１０においてヘッド９に所定のパルスを印加する。この時のパルス幅は、上記と同様タイマｔ１により規定されており、当該タイムアップの後ヘッド８の通電を遮断する（ステップＳ５１１，Ｓ５１２）。
　これと共に、ステップＳ５１２において１回の通電毎に記録サイクルカウンタを＋１歩進する。
　その記録サイクルカウンタにより、ステップＳ５１３にて記録完了か否かを判別する。ステップＳ５１３において記録サイクルカウンタが規定記録ドット値を越えていない場合には、ステップＳ５０８に復帰してステップＳ５０８〜Ｓ５１３の動作を繰り返す。
　ステップＳ５１３において記録サイクルカウンタが規定記録ドット値を越えた場合には往復記録が完了する。そこで次行の記録に備えるべく、ステップＳ５１５に進み、出力ポート２６およびドライバ２７を介して紙送りモータ４を駆動して記録媒体１を第２図で示すＡ方向に１行分送ると共に、サイクルカウンタをクリアする。
　以上のような実施例によれば、往復記録を行うことにより記録の高速化が達成できるとともに、往復記録によってインクの重ね合せ順序が異っても識別情報に応じた適当なマスキング処理により色補正が施されるために重ね合せ順序によって色合いが異なることもなくなり、よりいっそう高画質・高品質の記録が行えることになる。
（その他）
　なお、本発明は、特にインクジェット記録方式の中でもバブルジェット方式の記録ヘッド、記録装置において優れた効果をもたらすものである。かかる方式によれば記録の高密度化，高精細化が達成できるからであり、記録パターンによって一層定着の遅速が生じることが予測されるからである。
　その代表的な構成や原理については、例えば、米国特許第４７２３１２９号明細書，同第４７４０７９６号明細書に開示されている基本的な原理を用いて行うものが好ましい。この方式は所謂オンデマンド型，コンティニュアス型のいずれにも適用可能であるが、特に、オンデマンド型の場合には、液体（インク）が保持されているシートや液路に対応して配置されている電気熱変換体に、記録情報に対応していて核沸騰を越える急速な温度上昇を与える少なくとも１つの駆動信号を印加することによって、電気熱変換体に熱エネルギを発生せしめ、記録ヘッドの熱作用面に膜沸騰を生じさせて、結果的にこの駆動信号に一対一対応した液体（インク）内の気泡を形成できるので有効である。この気泡の成長，収縮により吐出用開口を介して液体（インク）を吐出させて、少なくとも１つの滴を形成する。この駆動信号をパルス形状とすると、即時適切に気泡の成長収縮が行われるので、特に応答性に優れた液体（インク）の吐出が達成でき、より好ましい。このパルス形状の駆動信号としては、米国特許第４４６３３５９号明細書，同第４３４５２６２号明細書に記載されているようなものが適している。なお、上記熱作用面の温度上昇率に関する発明の米国特許第４３１３１２４号明細書に記載されている条件を採用すると、さらに優れた記録を行うことができる。
　記録ヘッドの構成としては、上述の各明細書に開示されているような吐出口，液路，電気熱変換体の組合せ構成（直線状液流路または直角液流路）の他に熱作用部が屈曲する領域に配置されている構成を開示する米国特許第４５５８３３３号明細書，米国特許第４４５９６００号明細書を用いた構成も本発明に含まれるものである。加えて、複数の電気熱変換体に対して、共通するスリットを電気熱変換体の吐出部とする構成を開示する特開昭５９−１２３６７０号公報や熱エネルギの圧力波を吸収する開孔を吐出部に対応させる構成を開示する特開昭５９−１３８４６１号公報に基いた構成としても本発明の効果は有効である。すなわち、記録ヘッドの形態がどのようなものであっても、記録を確実に効率よく行いうるからである。
　さらに、上例のようなシリアルタイプのものでも装置本体に装着されることで、装置本体との電気的な接続や装置本体からのインクの供給が可能になる交換自在のチップタイプの記録ヘッド、あるいは記録ヘッド自体に一体的に設けられたカートリッジタイプの記録ヘッドを用いた場合にも本発明は有効である。
　また、搭載される記録ヘッドの種類ないし個数についても、例えば単色のインクに対応してそれぞれ１個のみが設けられたものの他、濃度を異にする複数のインクに対応して複数個数設けられるものであってもよい。
　さらに加えて、本発明インクジェット記録装置の形態としては、コンピュータ等の情報処理機器の画像出力端末として用いられるものの他、リーダ等と組合せた複写装置、さらには送受信機能を有するファクシミリ装置の形態を採るものであってもよい。
［発明の効果］
　以上の説明から明らかなように、本発明によれば、記録に用いるインクの量を、記録媒体の種類および記録密度に応じた処理を行うことによって、適切に制御し、これにより、記録媒体上におけるインクのにじみを抑制して高品位の出力画像を得ることができる。
　また、記録に用いる記録媒体の種類や記録密度に応じてインクの量を制御する処理を行うので、簡単に適切なインク量の制御を行うことができる。
【図面の簡単な説明】
　第１図は、本発明実施例の基本構成を示すブロック図、
　第２図は、本発明を適用したバブルジェット方式のカラーインクジェットプリンタの構成例を示す斜視図、
　第３図は、第２図の記録ヘッドの要部詳細を示す部分拡大縦断図、
　第４図は、第２図のカラーインクジェット記録装置の制御系の構成例を示すブロック図、
　第５図は、第４図に示したグラフィックプロ　セッサによるマスキング演算を示す概念図、
　第６図は第４図の制御系のデータ受信時の制御処理手順の一例を示すフローチャート、
　第７図は、本発明の一実施例にかかり、光反射型センサを記録媒体の識別情報発生手段として用いた場合のマスク量設定処理を示すフローチャート、
　第８図（Ａ）および（Ｂ）は、第７図に示す処理に用いられる光反射型センサのそれぞれ回路図、　および記録媒体に応じたセンサ出力を示す説明図、
　第９図は、本発明実施例においてＲ，Ｇ，ＢデータからＹ，Ｃ，Ｂｋデータに変換する基本的な変換テーブルの内容を示す説明図、
　第１０図は、第９図のデータ変換を論理回路で構成した場合の一例を示す回路図、
　第１１図は第４図の制御系のデータ受信時の制御処理手順の他の例を示すフローチャート、
　第１２図は、第４図の制御系の記録処理時の制御処理手順の一例を示すフローチャート、
　第１３図は、本発明にかかる記録処理手順の他の実施例を示すフローチャート、
　第１４図は、カラーインクジェットプリンタで減色混合法により記録する場合の表色状態を示す説明図、
　第１５図は、カラーインクジェットプリンタで減色混合法により記録する場合の記録状態を示す模式図である。
　　１…記録媒体、
　　６…キャリッジ、
　　７…キャリッジモータ、
　　９，９Ａ，９Ｂ，９Ｃ，９Ｄ　…記録ヘッド、
　　１０…吐出口、
　　１１…電気熱変換素子、
　　１６…操作キー、
　　２１…ＣＰＵ　　、
　　２３…データメモリ、
　　２４…プログラムメモリ、
　　２５…ワーキングメモリ、
　　２９…駆動回路、
　　３０…センサ、
　　３３…ＤＩＰ　スイッチ、
　　５０…グラフィックプロセッサ。